(57)【要約】      （修正有）【課題】ＣＤ、ＤＶＤ等の光ディスク・メディアケースは薄く背表紙ラベル表記部は幅・面積が狭小で文字や記号を大きく書き難く、縦に並べて多量に保管する場合には小文字の背表紙ラベルから記録内容を知ることは困難であり、取出しにも不便がある。【解決手段】蓋ケース、収納ケースにより構成される光ディスク・メディアケースで、蓋ケースの結合部と相対する背表紙部分全部を利用して局面部が外部、平面部が内部になるように配置された柱型凸レンズ及び同レンズ平面部に並行隣接の収納ケース挿入口空隙を有する蓋ケースと、この空隙に挿入するために長辺両端の一部を欠き短辺寸法を厚みとする文字記載用背表紙部を有する収納ケースで構成する。【選択図】図１
2007238173.tif 000002
【特許請求の範囲】
【請求項１】
蓋ケース、収納ケースで構成されるＣＤ．ＤＶＤ等の光ディスク・メディアケースの蓋ケース（メディアを装着しないケース）と収納ケース（メディア収納ケース）の結合部と相対する蓋ケース背表紙部全部を利用して曲面部が外部、平面部が内部となるように配置した柱型凸レンズ（ケース背表紙短辺寸法の焦点距離、局面から平面までの奥行きを焦点距離から１ｍｍを控除した寸法とするレンズ）及び同レンズ平面部に並行隣接した収納ケース挿入口（ケース両端から一定寸法の位置からケース底面厚みに１ｍｍを加算した幅に空けられた挿入口）の空間を有する蓋ケースと、この空間に挿入するために両端から一定寸法の幅員を欠き短辺寸法の厚みの背表紙部を有するケース収納ケースで構成する、レンズ焦点に相当部分にある収納ケース背表紙部分の文字・記号を拡大することを特徴とする蓋ケースと収納ケースを有するディスク・メディアケース
【請求項２】
ＣＤ．ＤＶＤ等のディスク・メディア蓋ケースに設けられたケース厚みと同様の幅を有する柱型凸レンズの上・下端部にＪ型取出し用引っ掛け突起部を有することを特徴とする光ディスク・メディアケース
【発明の詳細な説明】
【技術分野】
【０００２】  本発明は、光ディスクの情報を記載したケース背表紙の文字・記号等の確認を容易にする拡大レンズ及び取出用突起を有するディスクホルダーケースに関するものである。
【背景技術】
【０００３】  ＣＤケース等ボックスケースの背表紙ラベル情報を拡大する技術としてレンズを使用する発明例は、以下の通り開示されている。
特許文献  １
英国特許出願ＧＢ２２２２１４３Ａ号公報
特許文献  ２
米国特許第５，３３６，０７３号明細書
特許文献  ３
特願２００２−２９４２８３（Ｐ２００２−２９４２８３）号
実用新案文献  ４
実願平６−１２８７６
実用新案文献  ５
実願平５−１６６９２号
これ等は、半円球レンズをコンパクトディスク（ＣＤ）ケースの側面部に配置して、それに対面した背表紙ラベルの一部を拡大する技術やカマボコ型凸レンズを利用する技術のほか、別レンズをケースに装着する方法としてそれぞれ開示されている。
【発明が解決しようとする課題】
【０００４】  コンピューター用、音楽用、ビデオ用ＣＤ．ＤＶＤ等の光ディスク・メディア収納ケースは、情報の増加に伴って多数を所有ことが多くなっている。この為、ストック効率から旧来の汎用ケースの厚みが約９〜１１ｍｍであったのに比し、最近のブランクディスクケースはもとよりセルディスクケースでも約５ｍｍの薄型となる。
【０００５】  これに伴い、ケース厚を使用して背部ラベル等に記載されていたメディア内容は、記載しても見難いこともあって、等閑視される傾向にあり、為に、セル対象のビデオディスクでは、約８ｍｍの背部厚の特殊ケースを使用してテーマを背部に記載して凌いでいる。
この様に、現状の光ディスクケースは、縦に並べて多くを展示したり、個人が多くのディスクメディアを並べて保有する時代の要請に応じているとはいえないものである。
【０００６】  ストックスペースを有効に利用し、かつ、探索を容易にするには、薄型ケースの背表紙面に、メディア内容を明確に表示可能とする必要があった。
しかしながら、既に開示されている各ケースは、それぞれ、以下の点で実用に供しえない欠点を有している。
【０００７】  即ち、いずれの発明でも、レンズはディスクケースを構成する平面部の一部を利用して作成されており、レンズ面の全体をレンズとして使用可能とする方法ではない。さらに、背表紙部もケース平面部を除いたケース内部を利用する形式である。これらから、レンズ焦点であるケースの中心に対象である文字や記号を的確に記載したり配置することは、ケース構造や文字ラベルの構造からも事実上不可能であり、レンズによる拡大の効用以上に拡大歪が大で有効利用に難がある。また、背表紙部がケース内部利用を主としていることから、記載部分はケース底部厚みを除外したケース全体と比較して小さな面積にならざるを得ない欠点がある。
【課題を解決するための手段】
【０００８】  解決しようとする観点は、現行のディスクメディアケースのサイズや形態及び製造コストに限りなく変更を加えることなく、薄型ケース用のメディア内容表示方法を見出すこと及び縦置きでの保管が可能であるようにすることにある。
【０００９】  本発明は、蓋ケース背表紙の全幅・全長相当の柱型凸レンズの全部を利用し、レンズ焦点に収納ケース（メディア収納部を有する）背表紙が配置されるようにして拡大対象物の文字・記号記載部分をレンズ面に適切配置することにより、偏心することなく、有効にレンズ拡大機能を利用する光ディスクメディアケースを製造可能とすることにある。
【００１０】  また、薄型ケースを縦に並べて保管する場合にケース相互が密着して取出しが困難であることから、柱型レンズの厚みを利用して取出し用突起をレンズ上下端に設けて、取出しを容易にする。
【発明の効果】
【００１２】  本発明は、蓋及び収納各ケース連結部と相対する蓋ケース背表紙部分の柱型凸レンズをケース上・下部縦篇部で支える構造であり、同ケースの収納ケース挿入用空間に収納ケース背表紙部を挿入して背表紙記載文字・記号等の対象物をレンズ焦点に配置することにより対象物の歪を少なくして拡大し、更に、収納ケース短寸縦部の全部を背表紙記載部として広く使用することが可能となり、これらを含めて背表紙記載文字等を約２倍程度に拡大が可能である効果を有する。
【００１３】  更に、柱型レンズの厚みを利用して取出し用突起をレンズ上下端に設け、これを利用した場合は薄型ケースを縦に並べて保管することが可能になり、セルビデオを展示する場合のほか、個人的の多くのメディアケースを保管する場合にも、ケース相互が密着する取出しが困難から開放される効果も存する。
【発明を実施するための最良の形態】
【００１４】  図１は、本発明に係るケースの実施例であり、柱型凸レンズと収納ケースの挿入口を有する蓋ケース及び蓋ケースに挿入する背表紙部分を有する収納ケースの外観図を示している（広く一般的なケースである長辺１４２ｍｍ、短辺１２５ｍｍ、高さ５ｍｍの薄型ケースの場合）。【００１５】  本例では、現行の薄型ＣＤやＤＶＤケースを広い面積部分を平面に置いた場合の全高５ｍｍ、底辺部厚１ｍｍのプラスックケースを基本に、本発明の柱型凸レンズを蓋ケースとディスク収納ケース連結部と相対する背表紙部に設け、更に、レンズ平面と並行に収納ケース挿入口を設けた蓋ケースと、収納ケースの背表紙部に文字・記号記載欄を設ける例を示している。【００１６】  図１のＩは蓋ケースの長辺と同寸の１４２ｍｍ部分に半径５ｍｍの局面とケース幅の５ｍｍの幅及びケース連結部方向に４ｍｍの厚みを持つＡ柱型凸レンズ部を持ち、更に、レンズ平面と並列にケース端から各２ｍｍを控除した長さ１２１ｍｍ、幅２ｍｍのＢ収納ケース挿入口を有する蓋ケースである。【００１８】  図１のＩＩはケース全長相当１２５ｍｍの背表紙部分の両端から各３ｍｍ短縮したＤ背表紙部を持つ収納ケースである。ケース底辺に垂直に作られ蓋ケースに挿入するために高さを４ｍｍとしたＣ側面部、Ｄもケース底辺に垂直にかつ蓋ケースの挿入口に挿入するために両端から３ｍｍ部分に背表紙部分を持たない高さ５ｍｍの背表紙部分である。
この様にケースＤ背表紙部はケース高と同じ５ｍｍの高さを有しており、現存ケースの４ｍｍの場合と比較して１２５％の面積を持っている。【００１９】  図のＩの蓋ケースのＢ挿入口にＩＩの収納ケース背表紙突起部分の１ｍｍ分が挿入されることにより、この背表紙部分に記載された文字・記号がＩＡの柱型凸レンズ焦点近辺に配置されることになって、歪まず、明瞭な拡大文字をケース外部から見ることができるようになる。
この広く確保された記載部に拡大対象の文字・記号・図を記入したり、ラベルを貼って、メディア内部の情報を表示するが、表示面積巾の拡大にレンズによる拡大効果を加えると、現状ケースに記載する場合に比較して約１．８倍程度に拡大された文字等が見られることとなる。【００２０】  また、図１のＩの蓋ケースに設けられた凸レンズＡの上・下両端部分にケース取出し用にロの突起とイの窪みを設け、薄いケースが縦に密着して保管されている場合の取出し用に対応する。ストックスペースを効率的に使用する便利が得られ、増大するメディア保管時代に対応している。
【産業上の利用可能性】
【００２１】  本発明による背表紙部ラベル拡大柱型凸レンズ及び取り出し用突起付光メディアケースは、旧来のケースと比較して製造単価が高価にはならにももので、その上、今後は薄型メディアケースがケースの主流となることを考慮すればその実用価値は非常なものがあるので、製造産業にとって利用価値の大きなものである。
【図面の簡単な説明】
【００２２】
【図１】  現行５ｍｍ厚のメディアケースに本発明の柱型凸レンズを設けた場合の蓋ケースと収納ケースの組み立概略状況図
【図２】  第１図による柱型凸レンズ及び収納ケース挿入口を有する蓋ケース並びにケース高さ相当の背表紙部分を有する収納ケースの部分拡大図
【図３】  柱型凸レンズ両端にディスク取出し用の突起を設けた概略の拡大図
【図１】
2007238173.tif 000003
【図２】
2007238173.tif 000004
【図３】
2007238173.tif 000005